(57)【要約】  【課題】パイルループの基部を固定するための樹脂コーティングや糸間の融着を不要とし、更には明確な方形状の空隙を形成して通気性のみならずその透過（透視）性能も実現できる編込み面ファスナーを提供する。  【解決手段】地糸(11 〜13,111〜114)からなる基布の編成と同時にパイル編糸(14,115)を編み込んでパイルループ(15,116)を形成する面ファスナーの編込み面ファスナーである。前記パイルループを形成するパイル編糸(14,115)が、２以上のウェールＷ間を跨がってループを形成したのち、そのウェールＷ上の隣接する３以上のコースＣの地糸の各編目ごとに連続して交絡させて編目を形成している。隣接する３以上のコースＣごとに交絡して形成される前記パイル編糸(14,115)の編目のうち、中間部に位置する少なくとも１以上の編目が閉じ目をもって形成されている。  【選択図】図２
2005034404.tif 000002
【特許請求の範囲】
【請求項１】
パイル編糸(14,115)と地糸(11 〜13,111〜114)) とを編成して面ファスナーの係合部となるパイルループ(15,116)を有する編込み面ファスナー(10,100)にあって、
前記パイル編糸(14,115)は、２以上のウェール間を跨がって前記パイルループ(15,116)を形成したのち、そのウェール上で隣接する３以上のコースの地糸(11 〜13,111〜114)) の各編目ごとに連続的に交絡して編目が形成され、
隣接する３以上のコースごとに交絡して形成される前記パイル編糸(14,115)の編目のうち、中間部に位置する少なくとも１以上の編目が閉じ目をもって形成されてなる、
ことを特徴とする編込み面ファスナー。
【請求項２】
前記同一ウェール上の隣合う３以上のコース上で地糸(11 〜13,111〜114)の編目に交絡して作られる前記パイル編糸(14,115)の全ての編目が閉じ目により形成されてなることを特徴とする請求項１記載の面ファスナー。
【請求項３】
前記地糸(11 〜13,111〜114)が、各ウェールを形成する鎖編糸(11,111)と、隣合う２以上のウェール及びコース上の各鎖編糸(11,111)の編目に交絡してジグザグ状に走行し、少なくとも３コース毎に緯糸部分を形成する挿入糸(12,13) とからなり、
前記鎖編糸(11,111)と挿入糸(12,13) とにより方形状の透過空隙をもつ網目が形成され、
前記パイル編糸が前記挿入糸(12,13) の交絡位置と同一の交絡位置にて編目を形成し、  同ウェール間に形成されるパイル編糸(14,115)によるパイルループ(15,116)が前記挿入糸(12,13) に沿って形成されてなる、
ことを特徴とする請求項１又は２記載の編込み面ファスナー。
【請求項４】
前記パイル編糸(14,115)及び前記挿入糸(12,13) は、それぞれコース方向に関して逆組織をもつ一対の編糸からなり、それぞれが同一ウェール上の隣り合うコースの編目ごとに交絡するとともに、その交絡する編目間において交差し、コース方向にジグザグ状に走行してなることを特徴とする請求項１又は３記載の編込み面ファスナー。
【請求項５】
前記パイル編糸(14,115)がマルチフィラメントからなり、前記パイルループ(15,116)により雌係合素子が構成されてなること特徴とする請求項１又は３記載の編込み面ファスナー。
【請求項６】
前記パイル編糸(14,115)がモノフィラメントからなり、前記パイルループ(15,116)により雌係合素子又は雄係合素子が構成されてなること特徴とする請求項１又は３記載の編込み面ファスナー。
【請求項７】
少なくとも前記パイル編糸(14,115)が透明なフィラメント糸からなることを特徴とする請求項１又は３記載の編込み面ファスナー。
【発明の詳細な説明】
【技術分野】
【０００１】
本発明はパイル状の係合素子が地糸の編成と同時に編み込まれる編糸により形成される編込み面ファスナーに関し、前記係合素子と地糸との間が各種の樹脂材料により融着されて地組織との固定を不要にできるとともに、更には透視可能な網状の地組織に好適な編込み面ファスナーに関する。
【背景技術】
【０００２】
従来も、雄又は雌の係合素子を構成するパイル編糸を地糸の編成と同時に編み込んでパイルループを形成し面ファスナーを製造する多くの提案がなされている。この提案されている編込み面ファスナーの大半の構成は、例えば米国特許第５，１２５，２４６号明細書に開示されているように、地糸を高密度に編成すると同時にパイル編糸を編み込むのが一般的である。この米国特許では、０−０／ｘ−ｘ（ｘ：２，３，…，ｎ）の緯挿入糸及び０−０／１−１の経挿入糸にエラストマー糸を使うと共に、ウェールを鎖編糸をもって編成し、ここに、１−２／１−２／０−１／０−１のトリコット編組織を使って隣接するウェール及びコースごとに斜めにパイル編糸を交絡させてパイルループを形成している。
【０００３】
この編込み面ファスナーを取り付けようとする相手が通常の編物や織物であれば、こうした高密度の編込み面ファスナーであっても格別の問題が発生することはない。しかしながら、例えば通気性を備えたネット（網）構造やレース構造からなる衣料品や袋物（バッグ類）などの物品に、前述のごとき高密度の編込み面ファスナーを取り付けると、その取付部の編み構造が隠れてしまい、製品となったとき、ネット製品として或いはレース製品としての特性を失いかねず、製品価値を低下させてしまう。
【０００４】
そこで従来も、通気性を付与した面ファスナーを得るため、例えば実開昭６３−９１００９号公報に示すように、バック糸、ミドル糸及びフロント糸を使って、格子状または千鳥状に円形状の透孔を形成しながら編成し、そのフロント糸を起毛させて片面にパイルループを形成させたのち、バック糸にて編成した面に樹脂をコーティングしてパイルループを固定する提案がなされている。また、例えば特開２０００−４１７１２号公報も、前記公報と同様にバック糸、ミドル糸及びフロント糸を使って、それぞれに必要本数の糸抜きを行ってアトラス編みにより通気孔を有するトリコット編みを得たのち、フロント糸を起毛してパイルループを形成してから樹脂コーティング又は地糸の一部を溶着させてパイルループを地糸に固定して、通気性のある編込み面ファスナーを製造している。
【０００５】
しかしながら、これらの編込み面ファスナーは、その空隙率が低いため通気性が小さく、しかも裏面に樹脂コーティングを施さなければならず、相変わらず硬直性は改良されていない。その点、例えば実用新案登録第２５６３３６９号公報は、ウェール方向に編まれる地糸である鎖編糸とパイル編組織又はトリコット編組織のパイル編糸をパイルループを形成しながら前記鎖編糸の編目に絡ませるとともに、ウェール方向及びコース方向に走行するマーキゼット組織の挿入糸を所定のウェール間に跨がって交絡させて、格子状の大きな空隙をもつ網状基布を形成しているため、形態は織成による以上に形態が安定化し、しかも単なる通気性だけではなく、基布を通して向こう側が透けて見えるようになり、特にネット（網）構造やレース構造をもつ衣料品や袋物（バッグ類）などの物品に取り付けたとき、それらの物品によくマッチングする。
【特許文献１】米国特許第５，１２５，２４６号明細書
【特許文献２】実開昭６３−９１００９号公報
【特許文献３】特開２０００−４１７１２号公報
【特許文献４】実用新案登録第２５６３３６９号公報
【発明の開示】
【発明が解決しようとする課題】
【０００６】
ところで、上記特許文献１ではパイル編糸は同一ウェール上で隣接する２つのコースに作られる２つの鎖編目に閉じ目により交絡したのち隣接するウェールの鎖編目に開き目により交絡させて、その間にて隣接するウェール間及びコース間を斜めに跨ぐパイルループを形成している。このパイルループは前記開き目により一端を交絡させているため、同組織だけでは同パイルループに引張り力がかかると、同パイルループは交絡する鎖編目から引き出されてしまい、安定したループ形状が維持されず、強いては面ファスナーとしての剥離力に大きな影響を与える。これを避けるには、どうしても樹脂コーティングが必要になり、折角のエラストマー基布としての機能が十分に発揮されず、また剛直性も回避することができない。
【０００７】
また、上記特許文献２及び３に開示された編込み面ファスナーにあっては、既述したとおりバック糸、ミドル糸及びフロント糸の３種類の糸を使い、そのうちのフロント糸を表面に編み込んで、編成と同時にパイルループを形成するものではなく、編成後にフロント糸を起毛してパイルループを形成するものであって工程数が多くなり、しかも確実なループを形成することは難しく、雌の係合素子は形成できても、ループを形成したのちその一部を切断して雄の係合素子を形成することは難しい。更には、編成後に起毛された面ファスナーの裏面には相変わらず樹脂コーティングや溶融糸によりパイルループを基布に固定するため、剛直性は免れない。
【０００８】
一方、上記特許文献４では面ファスナーの基布を明確な方形状の空隙をもつ安定した網状の編物であるにも関わらず、そこに形成されるパイル編糸は同一コース上又は隣接するウェールとコースとの間を斜めに跨ぎ、ウェールを構成する鎖編糸の編目に単に開き目をもって交絡させているだけであるためループ抜けが生じやすく、上記特許文献１以上にループ形態を安定化させることを難しくしている。その結果、この特許文献４にあっても、基布の裏面に樹脂コーティングを余儀なくされている。
【０００９】
本発明は上記特許文献１〜４の各編込み面ファスナーにおける不具合を解消することを目的としてなされたものであり、先ずパイルループの基部を固定するための樹脂コーティングや糸融着を不要とすることを主目的とし、更には通気性を確保しようとする場合に、単に明確な方形状の空隙を形成して通気性のみならずその透過（透視）性能が実現される編込み面ファスナーを提供しようとするものである。
【課題を解決するための手段及び作用効果】
【００１０】
通常の編込み面ファスナーの基布である地組織は、ウェールを形成する鎖編糸を基本として、トリコット編糸や二目編糸などの１種類以上の経編糸と、所要の数のウェール間の編目に挿入されて折り返してコース方向に走行する緯挿入糸が使われることが多く、高密度に編成される。このとき、パイル編糸は上記特許文献１にも記載されているようにトリコット編みにより、或いは特許文献３に記載されているようなアトラス編組織により、それぞれ異なるウェール及びコース間を跨いでパイルループを形成している。一方、方形の空隙を明瞭に表出させる網状の編込み面ファスナーにあっては、上記特許文献４のごとく鎖編糸とマーキゼット編糸とをもって地組織である基布を編成すると同時に、パイル編糸をもってトリコット編みや特殊な編組織によりパイルループを形成している。
【００１１】
しかしながら、これらの編込み面ファスナーは、いずれも地糸に対するパイル編糸の交絡部においてパイルループの形態を固定することができず、ループ抜けが生じやすいことから、係合素子が形成されている面とは反対側の基布面に樹脂コーティングを施し、或いは地組織を構成する編糸の一部繊維に熱溶融性繊維を使ってこれを溶融させて、地糸とパイル編糸の交絡部を接着固定する必要があった。こうした処理により、地糸とパイル編糸との交絡部が固定され、パイルループの形態が安定化し、ループ抜けなどの不具合は解消されるものの、溶着樹脂により編物特有の柔軟性や風合いが失われてしまうことが多い。
【００１２】
本発明は、こうした不具合を解消するものであり、本発明者等は編成後に樹脂コーティングや繊維の溶着などの格別の処理を要することなく、ループ抜けなどの不具合が生じない編込み面ファスナーを開発すべく多様な試験を重ねた。その結果、パイルループを形成するパイル編糸の編構造に工夫がなされると、編成後に格別の処理を行わずともループ抜けなどの不具合が解消されることを知った。
【００１３】
本発明はこうした知見に基づいてなされたものであり、上記主目的は、本発明の基本構成である、パイル編糸と地糸とを編成して面ファスナーの係合部となるパイルループを有する編込み面ファスナーにあって、前記パイル編糸が、２以上のウェール間を跨がってループを形成したのち、そのウェール上の隣接する３以上のコースの地糸の各編目ごとに連続的に交絡して編目を形成し、隣接する３以上のコースごとに交絡して形成される前記パイル編糸の編目のうち、中間部に位置する少なくとも１以上の編目が閉じ目をもって形成されてなることを特徴とする編込み面ファスナーにより達成される。
【００１４】
パイル編糸は、まず２以上のウェール間を跨がって同一コース上又は隣接するコース上にある地糸の編目と交絡させて、その間にループを形成する。このループの形成端に形成されるパイル編糸の最初の編目は必ずしも閉じ目であるか開き目であるかを必ずしも規定するものではないが、この最初の編目が形成される同じウェール上にあって隣合う３以上のコース上にて形成される編目のうち、少なくとも中間部に位置する１以上の編目を必ず閉じ目とすることが重要である。この閉じ目の形成位置によっては、パイルループ形態を不安定にする。一方、この閉じ目の数は多ければ多いほどいいが、通常、同一ウェール上に連続して形成されるパイル編糸の編目は３〜８個が好適であることから、その中間位置に存在する閉じ目としては１〜４個を連続して又は不連続に配することになるが、パイル編糸からなるパイルループが強く引っ張られたとき、同パイルループが引っ張られて伸びず、同時に同一パイル編糸による隣接する他のパイルループにも影響を与えないためには、そのパイルループの形成端の編目に隣接するコース方向の編目を閉じ目とすることが好ましい。
【００１５】
このように、コース方向に隣り合う同一パイル編糸による３以上の編目の中間位置にある編目を閉じ目により形成すると、例えば同パイル編糸により形成されたパイルループに強い引っ張り力が働いたとしても、閉じ目の部分では編目が引き締められそれ以上は移動しないため、たとえ樹脂コーティングや繊維の融着によりパイルループの基部と地糸とが固着されていない場合でも、パイルループの形態に影響を与えず、相手方の係合素子との間の係合力を長く維持することができる。更に、前記パイル編糸により形成されるパイルループのループ抜けを確実にするには、前記同一ウェール上の隣合う３以上のコース上で地糸の編目に交絡して作られる前記パイル編糸の全ての編目を閉じ目により形成することが好ましい。かかる構成は、地糸により編成される基布が上記特許文献１のような通常の高密度の編物であっても、或いは上記特許文献４に記載されているような大きな方形の空隙をもつ網状の編物であってもよい。
【００１６】
しかして、この網状の基布編物の代表的な構造をもつ編込み面ファスナーとしては、前記地糸が、各ウェールを形成する鎖編糸と、隣合う２以上のウェール及びコース上の各鎖編糸の編目に交絡してジグザグ状に走行し、少なくとも３コース毎に緯糸を形成する挿入糸とからなり、前記鎖編糸と挿入糸とにより方形状の透過空隙をもつ網目が形成され、前記パイル編糸が前記挿入糸の交絡位置と同一の交絡位置にて編目を形成し、同ウェール間に形成されるパイル編糸によるパイルループが前記挿入糸に沿って形成されていることが望ましい。
【００１７】
かかる構成を備えることにより、ウェール方向に延びる編糸とコース方向に延びる編糸とがそれぞれ所要の間隔をおいて直角に交差する方形の大きな空隙がマトリックス状に形成される網状基布の一表面に、２以上のウェール間を跨いで形成されるパイルループが前記コース方向に延びる編糸に沿っているため、前記空隙の部分には余分な編糸が存在せず、透過性能を高めているだけでなく、各パイルループと地糸とのウェール方向に３か所以上で鎖編糸の編目に交絡する編目のうち、中間位置に存在する１以上の編目を閉じ目とすることにより、いわゆるループ抜けがなくなり、しかも編物に特有の柔軟性をも確保する。
【００１８】
特に、本発明にあって前記挿入糸を、コース方向に関して逆組織をもつ一対の編糸から構成し、それぞれが同一ウェール上の隣り合うコースの編目ごとに交絡するとともに、その交絡する編目間において交差し、コース方向にジグザグ状に走行させることが好ましい。かかる構成により、前述の機能が更に向上する。
【００１９】
本発明にあっては、前記パイル編糸を実質的に無撚りのマルチフィラメント糸から構成することができ、その場合には前記パイルループにより雌係合素子が形成され、また前記パイル編糸をモノフィラメントから構成することもでき、この場合には前記パイルループをそのままで雌係合素子として使うことができ、或いは同パイルループの一部を切断することによりフック状の雄係合素子として使うことができる。雄係合素子とする場合には、前記パイル編糸に太いモノフィラメント糸を使用する。
【００２０】
更に本発明にあっては、少なくとも前記パイル編糸に透明なフィラメント糸を使用すると、パイルループの存在が目立たなくなり、且つ面ファスナー自体の高い透過性が維持できる。この場合、地組織を構成する編糸も全て透明性のある糸とすることもでき、その場合には、面ファスナー全体の透明性が確保でき、同面ファスナーを取り付ける被着物の表面に形成される各種の絵や多色模様などが明瞭に透視できるようになる。
【発明を実施するための最良の形態】
【００２１】
以下、本発明の好適な実施形態を図面に基いて具体的に説明する。図１は本発明の編込み面ファスナーの外観を模式的に示したものであり、図２はその全体の編組織を示している。また、図３〜図５は本実施形態に係る前記編込み面ファスナーの構成糸条ごとの編組織を示している。
【００２２】
本実施形態の編込み面ファスナー１０にあっては、図３に示す０−１／１−０の繰り返し編組織をもつ鎖編糸１１と、図４に示す０−０／１−１／０−０／３−３／２−２／３−３の繰り返し編組織をもつ第１挿入糸１２と、同じく図４に示す３−３／２−２／３−３／０−０／１−１／０−０の繰り返し編組織をもつ第２挿入糸１３と、図５に示す０−１／１−０／０−１／２−３／３−２／２−３の繰り返し編組織をもつパイル編糸１４との全部で４種類の編糸によって構成されている。そして本実施形態では、全ての編糸をコースＣ方向（各図面の左右方向）に１針ずつ飛ばしてウェールＷを形成している。
【００２３】
上記鎖編糸１１はウェールＷ方向に連続して開き目で編目を形成し、上記第１挿入糸１２は同一ウェールＷ上にある前記鎖編糸１１の３個の編目にジグザグ状に交絡させたのち隣接するウエールの同じく隣接するコースＣ上の鎖編糸１１の編目に交絡して、これを同ウェールＷ上に形成される鎖編糸１１の３個の編目とジグザグ状に交絡させたのち、元のウェールＷ上の隣接するコースＣに形成される鎖編糸１１の編目に交絡させて、これをウェールＷ方向にジグザク状に３回繰り返して交絡させ、その繰り返しにより２つのウェールＷ間を全体としても大きくジグザグ状に走行させている。一方、上記第２挿入糸１３は前記第１挿入糸１２が３個連続して交絡する同じ鎖編糸１１の編目に同様に交絡したのち、第１挿入糸１２が移行する隣接するウェールＷとは反対側に隣接するウェールＷ上に移行したのち、同ウェールＷ上の３個の鎖編目に連続してジグザグ状に交絡する。すなわち、第１挿入糸１２と第２挿入糸１３とは、３ウェールＷ間にあって真ん中のウェールＷを挟んで左右が対象な編組織を有している。
【００２４】
こうして鎖編糸１１、第１挿入糸１２及び第２挿入糸１３によって、図１に模式的に示すような大きな方形状の空隙がマトリックス状に配された網状の面ファスナー１０の基布が編成される。すなわち、前記鎖編糸１１が連続してウェールＷを形成するとともに、前記第１及び第２挿入糸１２，１３の交絡部分でウェールＷの一部を形成し、同じく前記第１及び第２挿入糸１２，１３の隣接するウェールＷへの以降部分でコースＣ方向に１針飛んで走行するとともにウェールＷ方向に３編目交絡しながら、隣接するウェールＷ間同士を連結して、図２に示すような恰も経糸と緯糸とをもって方形状の空隙を形成したような網状の基布が編成されることになる。
【００２５】
上記パイル編糸１４は、図５に示すように全ての編目を閉じ目により形成している。このパイル編糸１４は、上述の編組織をもって上記基布に編み込まれ、隣接するウェールＷ１に移るとき、パイルループ１５を形成する。すなわち、第１のウェールＷ１上で上記鎖編糸１１による編目に交絡させながら自身も編目を作り、次いで同ウェールＷ１上で隣接する２つのコースＣ上で前記鎖編糸１１の編目と交絡しながら自身も２個の編目を順次作り、都合３個の編目を同一ウェールＷ１上に連続して形成する。そのあと、隣接する第２のウェールＷ２上に移って同じく隣接する３つのコースＣ上において、前述と同様に３個の連続する鎖編糸１１の編目に順次交絡させて自身も３個の編目を連続して作り、元の第１のウェールＷ１へと戻り、以降は同様の動作にて上記基布に順次編み込まれていく。このとき、本実施形態では、上述のように、パイル編糸１４は隣接するウェールＷ間を跨ぐとき、同時にパイルループ１５を形成し、また鎖編糸１１の編目と交絡して形成される同パイル編糸１４の編目の全てを閉じ目としている。
【００２６】
また、前記パイル編糸１４の編目の形成位置は、図２に示すように、鎖編糸１の編目に交絡して挿入される上記第１挿入糸１２の交絡位置と一致している。従って、パイルループ１５の形成位置も、前記第１挿入糸１２が隣接するウェールＷ間を跨がって走行する走行位置となる。このことは、同パイル編糸１４により形成されるパイルループ１５が、図１に示すごとく、マトリックス状に形成された基布の緯糸部分に沿って形成されることを意味する。
【００２７】
こうして形成された本実施形態による編込み面ファスナー１０にあって、先ず第１の特徴はパイルループ１５を形成するパイル編糸１４の全ての編目を閉じ目により形成している点にある。このように閉じ目にて形成すると、例えばパイルループ１５に引っ張り力が働いた場合に、同パイルループ１５の両端に形成された編目も閉じ目であることにより、同編目の部分でパイル編糸１４に引き締め力が加わり、鎖編糸１１の編目及び第１及び第２の挿入糸１２，１３の交絡部分を締め付け、パイルループ１５は逆に編目を通して引き出されるようなことがなくなる。つまり、本実施形態による編込み面ファスナー１０にあっては、その背面に樹脂コーティングや熱溶融製繊維等による溶融固着を行わなくても、パイルループ１５の抜けが阻止される。勿論、本実施形態にあっても樹脂コーティングや熱溶融製繊維等による溶融固着を行うことを排除するものではない。
【００２８】
また、本実施形態の編込み面ファスナー１０は、図１及び図２に示すように、大きな空隙が全体にマトリックス状に配された網織物風の外観形状を有するため、その空隙をとおしてパイルループの形成面とは反対側に存在する、例えば衣料や袋物などの表面模様が透視できるだけでなく、被着体である衣料や袋物が網状又はレース状で空隙が多い場合にも、よくマッチングさせることができ、それら被着体の通気性を損なうことがない。しかも、網状基布の表面に形成されるパイルループは、同基布の緯糸部分に沿って形成されるため、通気性や透視性をも損なうことがなく、またパイルループの存在が気にならず、外観意匠的にも見栄えのよい製品が得られる。
【００２９】
なお、本発明の編込み面ファスナーにあっては、その構成糸条の材質を限定するものではないが、少なくとも上記パイル編糸に透明性の高い合成樹脂製フィラメントを使えば、更にパイルループの存在が気にならなくなり、或いは全ての構成糸条に透明性の高い合成樹脂製フィラメントを使えば、面ファスナーを通して背面側の被着体表面の全面が透視でき、面ファスナー自体の存在も気にならなくなる。更に本実施形態にあって、編込み面ファスナー１０の構成糸条の一部に、同一又は異なる色彩を施す場合もあり、この場合には面ファスナー自体に色彩模様を発現させることができ、外観的に美麗であり、しかもその模様によっては被着体の表面模様とマッチングさせることも可能である。
【００３０】
図６は本発明に係る編込み面ファスナー１０に用いられるパイル編糸１４による多様な編組織の例を示している。同図（Ａ）は上記実施形態にて採用した編組織を示し、図５に示す編組織と同じである。同図（Ｂ）及び（Ｄ）に示す例では、パイル編糸１４の繰返し組織のうち２つのウェールＷ間に形成されるパイルループ１５の両端に形成される編目の１つを開き目にて形成して、他の全ての編目を閉じ目にて形成している。同図（Ｃ）に示す例では、パイル編糸１４の繰返し組織のうち２つのウェールＷ間に形成されるパイルループ１５の両端に形成される編目を全て開き目とし、同一ウェールＷ上に形成される３つの連続編目のうち中間位置にある編目だけを閉じ目としている。勿論、パイル編糸１４のうち一端部の編目を開き目とし、他の編み目の全てを閉じ目としてもよい。
【００３１】
このように、本発明では前記パイル編糸１４により形成される編目の全てを図６（Ａ）に示すように閉じ目とする必要はなく、図６（Ｂ）〜（Ｃ）に示すように少なくとも同一ウェールＷ上を連続して形成される３個以上の編目のうち、その中間部に位置する編み目を閉じ目にて形成すれば、改めてループの基部を地糸に溶着などにより固着しなくとも効果的にパイルループ抜けが防止できる。
【００３２】
図７及び図８は上記実施例の他の変形例を示しており、図７は第１及び第２の挿入糸１２，１３の変化編組織を示し、図８はパイル編糸１４の変化編組織を示している。上記鎖編糸１１は変更がない。この実施形態では、同一ウェールＷ上の鎖編目にジグザグ状に交絡させる第１及び第２の挿入糸１２，１４の交絡数を７個とするとともに、同ウェールＷ上で第１及び第２の挿入糸１２，１４の交絡位置に連続して形成されるパイル編糸１４の編目数も７個としている例である。このように第１及び第２挿入糸１２，１３とパイル編糸１４の組織を変更しても、図２〜図５に示した上記実施形態とは、その空隙が大きくなるだけで、その他の構成は実質的に同じであり、その奏する作用効果も通気性や透過性が向上する以外実質的に変わるところがない。すなわち、連続して同一ウェールＷ上に形成される編目数などを変えることにより、網状基布の空隙の大きさや通気性などを容易に変更できることが理解できよう。
【００３３】
図９及び図１０は本発明の他の実施形態を示している。この実施形態による編込み面ファスナー１００は、上述の実施形態のように基布を網状に形成せず、通常の経編構造に上記実施形態と同様のパイル編糸１１５を編み込んだ高密度の編込み面ファスナーである。なお、本実施形態による面ファスナー１００では、その構成編糸の種類が多く、同一図面上にその全種類の編糸を示すと、極めて見ずらくなるため、図９及び図１０に分離して示している。
【００３４】
図示実施形態では、編込み面ファスナー１００の基布を構成する地糸には上述の実施形態同様の鎖編糸１１１（図９）と、同一ウェールＷ上を前記鎖編糸１１１の編目に挿通させてジグザグ状に走行する経挿入糸１１２（図１０）と、前記鎖編糸１１１の編目に交絡させて３つのウェールＷ間を折り返す０−０／３−３の編組織をもつ第１の緯挿入糸１１３（図９）と、同第１の緯挿入糸１１３と同一方向に走行して８つのウェールＷ間を折り返す０−０／８−８の編組織をもつ第１の緯挿入糸１１４（図１０）との４種類からなる。一方、基布に編み込まれてパイルループ１１６を形成するパイル編糸１１５の編組織は０−１／１−０／０−１／１−２／２−１／１−２を繰り返し単位とする編組織である。
【００３５】
この実施形態にあって、上記実施形態とは基布に違いこそあれ、パイル編糸１１５が上記実施形態と同様の編組織からなるため、地糸である鎖編糸１１１の編目、経挿入糸１１２、第１及び第２の緯挿入糸１１３，１１４の各折返し部に閉じ目をもって編目を形成するため、例えばパイルループ１１６に引っ張り力が働いても地糸に対する交絡部分を挟んで互いに引き締めあうため、パイル編糸１１５は糸長さ方向に移動せず、ループ形態を変化させるようなことがない。そのため、いたずらに基布のパイルループ形成面とは反対側の背面に、合成樹脂をコーティグしたり地糸の一部繊維に低融点の繊維を混合して溶融接着させる必要がない。
【００３６】
以上のようにして編成される本発明の編込み面ファスナー１０，１００のパイルループ１５，１１６を形成するパイル編糸１４，１１５には合成樹脂製のマルチフィラメント又はモノフィラメントが使われる。マルチフィラメントは、細いフィラメントの集合体であり、実質的に無撚りである。このマルチフィラメントにより形成されるパイルループはバフィングなどにより各フィラメント単位にバラバラにほぐされて、多方向を向いた多数のパイルループとされ、相手方のフック片などからなる雄係合素子に係脱する雌係合素子となる。
【００３７】
また、パイル編糸１４，１１５として細繊度のモノフィラメントを使う場合には、形成されるパイルループ１５，１１６に格別の加工を施すことなく、同パイルループ１５，１１６を雌係合素子として使うこともでき、パイル編糸１４，１１５が太繊度のモノフィラメントである場合には、形成されたパイルループ１５，１１６の一部を切断してフック片とし雄係合素子をつくり出す。このような雄係合素子では、パイルループ１５，１１６の一部が切断されるため、上述のような単純なパイル編組織であったり閉じ目で形成するだけではループ抜けの懸念が生じる場合もある。その場合には、少量の樹脂コーティングしたり、あるいは地糸に低融点の繊維を少量混入させて溶融処理を施すこともできる。このような樹脂コーティングをするにしても、本発明によるパイル編組織によってループ抜けが抑えられている分だけ、その樹脂の使用料を大幅に低減させることができ、基布の剛直化を避けることができる。
【図面の簡単な説明】
【００３８】
【図１】編状基布をもつ本発明の編込み面ファスナーの一例を模式的に示す斜視図である。
【図２】本発明の代表的な実施形態である編込み面ファスナーの全体の編組織図である。
【図３】同面ファスナーのウェールＷを形成する鎖編糸の編組織図である。
【図４】同面ファスナーの網状基布の構成糸条の一部である挿入糸の編組織図である。
【図５】同面ファスナーのパイルループを形成するパイル編糸の編組織図である。
【図６】前記パイル編糸の編組織図の変形例を示す編組織図である。
【図７】上記挿入糸の編組織の変形例を示す編組織図である。
【図８】前記挿入糸とともに編み込まれるパイル編糸の組織図である。
【図９】通常の高密度の基布をもつ本発明の編込み面ファスナーの一部編組織図である。
【図１０】同面ファスナーの残る編糸の編組織図である。
【符号の説明】
【００３９】
１０，１００              編込み面ファスナー
１１，１１１              鎖編糸
１２，１３                第１及び第２の挿入糸
１４，１１５              パイル編糸
１５，１１６              パイルループ
１１２                      経挿入糸
１１３，１１４              第１及び第２の緯挿入糸
【図１】
2005034404.tif 000003
【図２】
2005034404.tif 000004
【図３】
2005034404.tif 000005
【図４】
2005034404.tif 000006
【図５】
2005034404.tif 000007
【図６】
2005034404.tif 000008
【図７】
2005034404.tif 000009
【図８】
2005034404.tif 000010
【図９】
2005034404.tif 000011
【図１０】
2005034404.tif 000012